(57)【要約】【課題】捕獲した有害生物を、悪臭被害が発生する前に、効率的に回収すること。【解決手段】複数の有害生物捕獲装置と、優先順位設定装置と、がネットワークを介して通信可能に接続された有害生物回収管理システムであり、前記有害生物捕獲装置が、有害生物を捕獲する捕獲部と、前記有害生物が捕獲されたことを検知する捕獲検知部と、捕獲検知情報を送信する送信部と、を備え、前記優先順位設定装置が、前記捕獲検知情報を受信する受信部と、前記有害生物を捕獲した有害生物捕獲装置の設置場所において所定の日に回収作業が可能か否かを判断する回収可否判断部と、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定する優先順位設定部と、を備える有害生物回収管理システムを提供する。【選択図】図１
2018132806.tif 000002
【特許請求の範囲】
【請求項１】
複数の有害生物捕獲装置と、優先順位設定装置と、がネットワークを介して通信可能に接続された有害生物回収管理システムであり、
前記有害生物捕獲装置が、有害生物を捕獲する捕獲部と、前記有害生物が捕獲されたことを検知する捕獲検知部と、捕獲検知情報を送信する送信部と、を備え、
前記優先順位設定装置が、前記捕獲検知情報を受信する受信部と、前記有害生物を捕獲した有害生物捕獲装置の設置場所において所定の日に回収作業が可能か否かを判断する回収可否判断部と、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定する優先順位設定部と、を備える有害生物回収管理システム。
【請求項２】
更に、前記優先順位設定装置が、前記有害生物を捕獲した有害生物捕獲装置の設置場所周辺の環境に応じた環境別緊急度に基づいて前記ポイントを算出する、請求項１に記載の有害生物回収管理システム。
【請求項３】
更に、前記優先順位設定装置が、出発地点から前記有害生物を捕獲した有害生物捕獲装置の設置場所までの距離に応じた距離別優先度に基づいて前記ポイントを算出する、請求項１又は２に記載の有害生物回収管理システム。
【請求項４】
前記有害生物の回収作業を行うために必要な用具を表示する用具表示部を備える、請求項１から３のいずれか一項に記載の有害生物回収管理システム。
【請求項５】
複数の有害生物捕獲装置と、優先順位設定装置と、がネットワークを介して通信可能に接続された有害生物回収管理システムにおける有害生物回収管理方法であり、
前記有害生物捕獲装置が、有害生物を捕獲するステップと、前記有害生物が捕獲されたことを検知するステップと、捕獲検知情報を送信するステップと、を実行し、
前記優先順位設定装置が、前記捕獲検知情報を受信するステップと、前記有害生物を捕獲した有害生物捕獲装置の設置場所において所定の日に回収作業が可能か否かを判断するステップと、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定するステップと、を実行する有害生物回収管理方法。
【請求項６】
複数の有害生物捕獲装置とネットワークを介して通信可能に接続される優先順位設定装置であり、
有害生物を捕獲した前記有害生物捕獲装置から捕獲検知情報を受信する受信部と、前記有害生物を捕獲した有害生物捕獲装置の設置場所において所定の日に回収作業が可能か否かを判断する回収可否判断部と、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定する優先順位設定部と、を備える優先順位設定装置。
【請求項７】
複数の有害生物捕獲装置とネットワークを介して通信可能に接続される優先順位設定装置に、
有害生物を捕獲した前記有害生物捕獲装置から捕獲検知情報を受信するステップと、前記有害生物を捕獲した有害生物捕獲装置の設置場所において所定の日に回収作業が可能か否かを判断するステップと、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定するステップと、を実行させるためのプログラム。
【請求項８】
複数の有害生物捕獲装置とネットワークを介して通信可能に接続される優先順位設定装置に、
有害生物を捕獲した前記有害生物捕獲装置から捕獲検知情報を受信するステップと、前記有害生物を捕獲した有害生物捕獲装置の設置場所において所定の日に回収作業が可能か否かを判断するステップと、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定するステップと、を実行させるためのプログラムを記憶した記憶媒体。
【発明の詳細な説明】
【技術分野】
【０００１】
本発明は、捕獲した有害生物の回収作業を管理する有害生物回収管理システムに関する。
【背景技術】
【０００２】
ネズミやゴキブリなどの有害生物を捕獲するために、種々の捕獲装置が開発されている。例えば、特許文献１には、ネズミの存在する空間内に揮散成分を揮散させ、前記空間内に設置したネズミ捕獲装置によりネズミを捕獲することを特徴とするネズミの捕獲方法が開示されている。
【先行技術文献】
【特許文献】
【０００３】
【特許文献１】特開２００９−２３９２１号公報
【発明の概要】
【発明が解決しようとする課題】
【０００４】
捕獲装置により捕獲された有害生物は、出来る限り早く回収することが望ましい。放置すると、有害生物の死骸が腐敗して死骸臭が発生し、悪臭被害の原因となり得るからである。しかしながら、屋根裏や天井裏などの人目に付きにくい場所に捕獲装置が設置されている場合、有害生物が捕獲されたことを直ぐに検知することは困難である。このため、死骸臭による悪臭被害が発生して初めて有害生物が捕獲されたことに気付く場合が少なくない。
【０００５】
また、有害生物を捕獲・回収する業者は、一般に、「悪臭がするから有害生物の死骸を回収してほしい」という旨の連絡を受けてから、現場へ赴いて回収作業を行う。複数の場所から回収の依頼を受けると、場当たり的に回収作業を行うことが多く、作業効率が悪かった。
【０００６】
そこで、本発明は、捕獲した有害生物を、悪臭被害が発生する前に、効率的に回収することを主目的とする。
【課題を解決するための手段】
【０００７】
有害生物の中でも例えばネズミは、周囲の温度及び湿度にもよるが、死亡してから３日程度経過すると死骸臭を発するようになる。本発明者は、有害生物が死亡してから死骸臭が発生するまでにある程度時間を要することに着目し、有害生物が捕獲されたことを直ぐに検知することができれば、死骸臭が発生する前に捕獲された有害生物を回収し、悪臭被害を未然に防ぐことが可能であると考えた。更に本発明者は、複数の場所で有害生物が捕獲された場合に、死骸臭が発生するまでの時間を利用して回収先をどのような順序で回ることが効率的であるかを検討し回収作業の優先順位を設定することで、効率的に回収作業を行うことができると考えた。このような着想の下、本発明者は、本発明を完成させるに至った。
【０００８】
すなわち、本発明は、複数の有害生物捕獲装置と、優先順位設定装置と、がネットワークを介して通信可能に接続された有害生物回収管理システムであり、前記有害生物捕獲装置が、有害生物を捕獲する捕獲部と、前記有害生物が捕獲されたことを検知する捕獲検知部と、捕獲検知情報を送信する送信部と、を備え、前記優先順位設定装置が、前記捕獲検知情報を受信する受信部と、前記有害生物を捕獲した有害生物捕獲装置の設置場所において所定の日に回収作業が可能か否かを判断する回収可否判断部と、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定する優先順位設定部と、を備える有害生物回収管理システムを提供する。
【０００９】
また、本発明は、複数の有害生物捕獲装置と、優先順位設定装置と、がネットワークを介して通信可能に接続された有害生物回収管理システムにおける有害生物回収管理方法であり、前記有害生物捕獲装置が、有害生物を捕獲するステップと、前記有害生物が捕獲されたことを検知するステップと、捕獲検知情報を送信するステップと、を実行し、前記優先順位設定装置が、前記捕獲検知情報を受信するステップと、前記有害生物を捕獲した有害生物捕獲装置の設置場所において所定の日に回収作業が可能か否かを判断するステップと、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定するステップと、を実行する有害生物回収管理方法を提供する。
【００１０】
また、本発明は、複数の有害生物捕獲装置とネットワークを介して通信可能に接続される優先順位設定装置であり、有害生物を捕獲した前記有害生物捕獲装置から捕獲検知情報を受信する受信部と、前記有害生物を捕獲した有害生物捕獲装置の設置場所において所定の日に回収作業が可能か否かを判断する回収可否判断部と、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定する優先順位設定部と、を備える優先順位設定装置を提供する。
【００１１】
また、本発明は、複数の有害生物捕獲装置とネットワークを介して通信可能に接続される優先順位設定装置に、有害生物を捕獲した前記有害生物捕獲装置から捕獲検知情報を受信するステップと、前記有害生物を捕獲した有害生物捕獲装置の設置場所において所定の日に回収作業が可能か否かを判断するステップと、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定するステップと、を実行させるためのプログラムを提供する。
【００１２】
また、本発明は、複数の有害生物捕獲装置とネットワークを介して通信可能に接続される優先順位設定装置に、有害生物を捕獲した前記有害生物捕獲装置から捕獲検知情報を受信するステップと、前記有害生物を捕獲した有害生物捕獲装置の設置場所において所定の日に回収作業が可能か否かを判断するステップと、前記有害生物を捕獲した後の経過時間及び前記有害生物を捕獲した有害生物捕獲装置の設置場所周辺で行われている業務に応じた業務別緊急度に基づいて、前記有害生物を捕獲した有害生物捕獲装置ごとにポイントを算出し、前記ポイントの合計数が多い前記有害生物捕獲装置から順に回収の優先順位を設定するステップと、を実行させるためのプログラムを記憶した記憶媒体を提供する。
【００１３】
なお、本明細書において「有害生物」とは、衛生的、経済的又は産業的に人に害を与える生物であり、捕獲装置を用いて駆除することを目的とする生物のことをいう。例えば、ドブネズミ、クマネズミ、ハツカネズミなどのネズミや、イタチ、ハクビシン、アライグマなどが挙げられる。
【発明の効果】
【００１４】
本発明によれば、捕獲した有害生物を、悪臭被害が発生する前に、効率的に回収することができる。
【図面の簡単な説明】
【００１５】
【図１】第１実施形態に係る有害生物回収管理システムのシステム構成の一例を示す図である。
【図２】第１実施形態に係る有害生物回収管理システムのハードウェア構成の一例を示す図である。
【図３】第１実施形態に係る有害生物捕獲装置の機能構成の一例を示す図である。
【図４】第１実施形態に係る優先順位設定装置の機能構成の一例を示す図である。
【図５】第１実施形態に係る有害生物捕獲装置テーブルのデータの一例を示す図である。
【図６】第１実施形態に係る経過時間テーブルのデータの一例を示す図である。
【図７】第１実施形態に係る業務別緊急度テーブルのデータの一例を示す図である。
【図８】第１実施形態に係る優先順位設定テーブルのデータの一例を示す図である。
【図９】第１実施形態に係る有害生物捕獲装置が実行する処理の一例を示すフローチャートである。
【図１０】第１実施形態に係る優先順位設定装置が実行する処理の一例を示すフローチャートである。
【図１１】第２実施形態に係る有害生物回収管理システムの機能構成の一例を示す図である。
【図１２】第２実施形態に係る有害生物捕獲装置テーブルのデータの一例を示す図である。
【図１３】第２実施形態に係る環境別緊急度テーブルのデータの一例を示す図である。
【図１４】第２実施形態に係る優先順位設定テーブルのデータの一例を示す図である。
【図１５】第２実施形態に係る優先順位設定装置が実行する処理の一例を示すフローチャートである。
【図１６】第３実施形態に係る有害生物回収管理システムの機能構成の一例を示す図である。
【図１７】第３実施形態に係る有害生物捕獲装置テーブルのデータの一例を示す図である。
【図１８】第３実施形態に係る距離別優先度テーブルのデータの一例を示す図である。
【図１９】第３実施形態に係る優先順位設定テーブルのデータの一例を示す図である。
【図２０】第３実施形態に係る優先順位設定装置が実行する処理の一例を示すフローチャートである。
【図２１】第４実施形態に係る有害生物回収管理システムの機能構成の一例を示す図である。
【図２２】第４実施形態に係る用具テーブルのデータの一例を示す図である。
【図２３】第４実施形態に係る優先順位設定装置が実行する処理の一例を示すフローチャートである。
【発明を実施するための形態】
【００１６】
以下、本発明を実施するための形態について図面を参照しながら説明する。なお、以下に説明する実施形態は、本発明の実施形態の一例を示したものであり、これにより本発明の範囲が狭く解釈されることはない。
【００１７】
＜１．第１実施形態＞
（１）システム構成
まず、図１を参照して、第１実施形態に係る有害生物回収管理システム１について説明する。図１は、第１実施形態に係る有害生物回収管理システム１のシステム構成の一例を示す図である。図１に示す有害生物回収管理システム１は、複数の有害生物捕獲装置１０と、優先順位設定装置２０と、を有する。有害生物捕獲装置１０と優先順位設定装置２０は、無線又は有線により、インターネットなどのネットワーク３０を介して通信可能に接続されている。
【００１８】
有害生物捕獲装置１０は、有害生物を捕獲する機能を備えた装置である。優先順位設定装置２０は、サーバなどのコンピュータである。図１に示す優先順位設置装置２０は、１台のコンピュータにより構成されているが、２台以上のコンピュータによって構成されていてもよい。
【００１９】
（２）ハードウェア構成
次に、図２を参照して、第１実施形態に係る有害生物回収管理システム１のハードウェア構成について説明する。図２は、第１実施形態に係る有害生物回収管理システム１のハードウェア構成の一例を示す図である。
【００２０】
（２−１）有害生物捕獲装置
図２に示すように、有害生物捕獲装置１０は、捕獲装置１１、捕獲検知装置１２及び通信装置１３を備える。
【００２１】
捕獲装置１１は、有害生物を捕獲することができればその構成は特に限定されず、公知の構成を採用することができる。例えば、有害生物が捕獲装置１１の内部に進入すると入り口のシャッターが落下して自動的に閉まる構成が挙げられる。
【００２２】
捕獲検知装置１２は、有害生物が捕獲されたことを検知することができれば、その構成は特に限定されず、公知の構成を採用することができる。例えば、捕獲装置１１の内部に有害生物の重量に応じて作動する機構を設けて、重量の変化に基づいて捕獲を検知してもよい。捕獲装置１１の入口に設けられたシャッターが閉まったことを示す信号に基づいて捕獲を検知してもよい。有害生物に赤外線を照射してその放射熱を検出するセンサーを捕獲装置１１に設けて、放射熱の有無に基づいて捕獲を検知してもよい。有害生物の進入路を挟んで対向する位置に赤外線発光ダイオードと赤外線センサーを設けて、間に餌を置き、有害生物が当該餌に接近して赤外線センサー側の赤外線が遮断されることにより、有害生物の捕獲を検知してもよい。
【００２３】
通信装置１３は、ネットワーク３０を介した通信を媒介する通信インタフェースであり、優先順位設定装置２０にデータを送信する。
【００２４】
（２−２）優先順位設定装置
図２に示すように、優先順位設定装置２０は、演算装置２１、記憶装置２２、入力装置２３、出力装置２４及び通信装置２５を備える。これらの各ハードウェアは、制御信号やデータ信号などの授受を媒介する経路、例えばバスなどで接続されている。
【００２５】
演算装置２１は、ＣＰＵ、ＲＯＭ、ＲＡＭなどから構成される。ＣＰＵは、記憶装置２２、ＲＯＭなどからプログラムやデータをＲＡＭ上に呼び出して処理を実行することで、優先順位設定装置２０全体の制御や機能を実現する。ＲＯＭは不揮発性メモリであり、ＢＩＯＳ、ＯＳ設定及び各種設定等のプログラムやデータが格納されている。ＲＡＭは揮発性メモリであり、プログラムやデータを一時的に保持する。
【００２６】
記憶装置２２は、例えばハードディスクドライブであり、演算装置２１が実行するプログラムや、プログラム実行に必要なデータが格納されている。入力装置２３は、例えばキーボードやマウス、テンキーなどであり、ユーザが各種操作信号を入力するために用いられる。出力装置２４は、例えば画面表示装置、印字装置、音声出力装置などであり、優先順位設定装置２０による処理結果をユーザに提供するために用いられる。通信装置２５は、ネットワーク３０を介した通信を媒介する通信インタフェースである。
【００２７】
本実施形態に係る有害生物捕獲装置１０及び優先順位設定装置２０は、上記ハードウェア構成を備えることにより、後述する各種処理を実現する。
【００２８】
（３）機能構成
次に、図３及び図４を参照して、第１実施形態に係る有害生物回収管理システム１の機能構成について説明する。
【００２９】
（３−１）有害生物捕獲装置
図３は、第１実施形態に係る有害生物捕獲装置１０の機能構成の一例を示す図である。図３に示すように、有害生物捕獲装置１０は、捕獲部１０１、捕獲検知部１０２及び送信部１０３を備える。
【００３０】
捕獲部１０１は、捕獲装置１１により実現され、有害生物を捕獲する。捕獲検知部１０２は、捕獲検知装置１２により実現され、有害生物捕獲装置１０において有害生物が捕獲されたことを検知する。送信部１０３は、通信装置１３などにより実現され、優先順位設定装置２０に対して、有害生物が捕獲された旨の捕獲検知情報を送信する。捕獲検知情報には、有害生物捕獲装置１０を一意に特定するための捕獲装置識別情報（捕獲装置ＩＤ）、捕獲日時などが含まれ得る。
【００３１】
（３−２）優先順位設定装置
図４は、第１実施形態に係る優先順設定装置２０の機能構成の一例を示す図である。図４に示すように、優先順位設定装置２０は、受信部２０１、回収可否判断部２０２、優先順位設定部２０３を備える。
【００３２】
受信部２０１は、通信装置２５などにより実現され、有害生物捕獲装置１０から捕獲検知情報を受信する。
【００３３】
回収可否判断部２０２は、演算装置２１などにより実現され、有害生物を捕獲した有害生物捕獲装置１０が設置されている場所において、所定の日に有害生物を回収する作業を行うことが可能か否かを判断する。
【００３４】
優先順位設定部２０３は、演算装置２１などにより実現され、有害生物を捕獲した有害生物捕獲装置１０のそれぞれに対して、所定の基準に基づいてポイントを算出し、ポイントの数が多い有害生物捕獲装置１０ほど、回収作業の優先順位を高く設定する。
【００３５】
更に、優先順位設定装置２０は、有害生物捕獲装置テーブル２０４、経過時間テーブル２０５、業務別緊急度テーブル２０６、優先順位設定テーブル２０７を保持し、これらは記憶装置２２などに記憶される。
【００３６】
（４）データ等
次に、図５〜８を参照して、第１実施形態に係る有害生物回収管理システム１が保持するデータについて説明する。
図５は、第１実施形態に係る有害生物捕獲装置テーブル２０４のデータの一例を示す図である。有害生物捕獲装置テーブル２０４は、有害生物捕獲装置１０に関するデータを保持する。有害生物捕獲装置テーブル２０４が保持するデータとしては、例えば、捕獲装置ＩＤ、有害生物捕獲装置１０が設置されている建屋名及びフロア、設置場所、捕獲された有害生物の回収作業を行うことが出来ない日（回収不可日）、有害生物捕獲装置１０の設置場所周辺で行われている業務に応じた業務別緊急度などが挙げられる。
【００３７】
図６は、第１実施形態に係る経過時間テーブル２０５のデータの一例を示す図である。経過時間テーブル２０５は、有害生物捕獲装置１０が有害生物を捕獲してからの経過時間と、該経過時間に応じたポイントのデータを保持する。
【００３８】
経過時間は、例えば、捕獲検知情報に含まれる捕獲日時から、回収が予定される特定の日時までの時間とすることができる。また、例えば、捕獲検知情報に含まれる捕獲日時から、本実施形態に係る有害生物回収管理システム１に係るプログラムの実行を開始した日時までの時間とすることができる。
【００３９】
上記ポイントは、有害生物を捕獲した有害生物捕獲装置１０が複数存在する場合に、捕獲された有害生物を回収する順番の優先順位を設定するために用いられ、ポイント数が多いほど優先順位が高く設定される。有害生物が捕獲されてから時間が経つほど、有害生物が死亡して死骸臭が発生する可能性が高まることから、上記経過時間が長いほど対応するポイント数を多くして回収の優先順位を高めることが好ましい。経過時間及びポイント数は、任意で設定されればよく、特に限定されない。図６に示す例では、経過時間が２４時間未満の場合は０ポイント、２４時間以上４８時間未満の場合は８０ポイント、４８時間以上７２時間未満の場合は１２０ポイント、７２時間以上の場合は２００ポイントとしている。
【００４０】
有害生物がネズミである場合、周囲の温度及び湿度にもよるが、死亡してから７２時間程度経過すると死骸臭を発するようになるため、経過時間が７２時間以上の場合にはポイント数を多く設定して、回収の優先順位を高めることが好ましい。
【００４１】
図７は、第１実施形態に係る業務別緊急度テーブル２０６のデータの一例を示す図である。業務別緊急度テーブル２０６は、業務別緊急度の度合いと、該度合いに応じたポイントのデータを保持する。
【００４２】
業務別緊急度は、有害生物捕獲装置１０の設置場所周辺で行われている業務に応じた有害生物回収作業の緊急性を表す度合いである。例えば、公共性が高い業務や衛生面が重視される業務は、そうではない業務と比較して有害生物回収作業の緊急性は高い。図７に示す例では、業務別緊急度の度合いを「レベル」で表しており、レベルの数が大きい方が有害生物回収作業の緊急性が高い。このため、レベル１は３０ポイント、レベル２は８０ポイント、レベル３は１００ポイント、レベル４は１５０ポイント、というように、レベルの数が多いほどポイント数を多く設定して、有害生物回収作業の優先順位を高めている。
【００４３】
例えば、物流センターや倉庫などの緊急性の極めて低い場合はレベル１、有害生物による営業的な被害が問題化しやすい業務の場合はレベル２、食品工場や給食センターなどの衛生面が重視される業務の場合はレベル３、鉄道会社や高速道路会社などの極めて公共性が高い業務の場合はレベル４と設定することができる。
【００４４】
図５に戻って業務別緊急度について説明すると、捕獲装置ＩＤが０００１の有害生物捕獲装置１０は、Ａ鉄道会社に設置されており、当該有害生物捕獲装置１０の周辺では極めて公共性の高い業務が行われているため、業務別緊急度のレベルは４に設定されている。一方、捕獲装置ＩＤが０００４の有害生物捕獲装置１０は、Ｄ倉庫に設置されており、緊急性は極めて低いことから、業務別緊急度はレベル１に設定されている。
【００４５】
図８は、第１実施形態に係る優先順位設定テーブル２０７のデータの一例を示す図である。優先順位設定テーブル２０７は、上記経過時間及び業務別緊急度に基づいて、有害生物を捕獲した有害生物捕獲装置１０ごとにポイントを算出するために用いられる。図８に示す例では、優先順位設定テーブル２０７のデータは、２０１６年１２月６日（火）１０時００分に作成されている。また、回収予定日は２０１６年１２月６日（火）である。優先順位設定テーブル２０７は、捕獲装置ＩＤ、有害生物を捕獲した日時、回収予定日において回収作業が可能であるか否か、有害生物捕獲後の経過時間に基づいたポイント数、業務別緊急度に応じたポイント数、ポイントの合計数、優先順位の情報を保持している。
【００４６】
（５）動作
次に、図９、１０を参照して、第１実施形態に係る有害生物回収管理システム１における有害生物回収管理方法について説明する。
【００４７】
（５−１）有害生物捕獲装置
図９は、第１実施形態に係る有害生物捕獲装置１０が実行する処理の一例を示すフローチャートである。有害生物捕獲装置１０の捕獲部１０１が有害生物を捕獲したことを、捕獲検知部１０２が検知する（ステップＳ１０）。送信部１０３は、有害生物の捕獲検知情報を優先順位設定装置２０へ送信する（ステップＳ２０）。捕獲検知情報には、有害生物捕獲装置１０を一意に特定するための捕獲装置ＩＤと、捕獲日時が含まれる。
【００４８】
（５−２）優先順位設定装置
図１０は、第１実施形態に係る優先順位設定装置２０が実行する処理の一例を示すフローチャートである。優先順位設定装置２０の受信部２０１は、有害生物捕獲装置１０の送信部１０３が送信した捕獲検知情報を受信する（ステップＳ１１０）。優先順位設定装置２０の回収可否判断部２０２は、有害生物を捕獲した有害生物捕獲装置１０の設置場所において所定の日に有害生物の回収作業を行うことが可能か否かを判断する（ステップＳ１２０）。所定の日に回収作業を行うことができないと判断した場合（ステップＳ１２０：Ｎｏ）、処理を終了する。
【００４９】
所定の日に回収作業を行うことが可能と判断した場合（ステップＳ１２０：Ｙｅｓ）、優先順位設定部２０３は、有害生物捕獲後の経過時間を確認し（ステップＳ１３０）、経過時間に基づいてポイントを付与する（ステップＳ１４０）。例えば、経過時間が２４時間未満の場合は０ポイント、２４時間以上４８時間未満の場合は８０ポイント、４８時間以上７２時間未満の場合は１２０ポイント、７２時間以上の場合は２００ポイントとする（ステップＳ１４１〜Ｓ１４４）。
【００５０】
次に、優先順位設定部２０３は、有害生物捕獲装置１０の設置場所周辺で行われている業務に応じた業務別緊急度を確認し（ステップＳ１５０）、業務別緊急度に基づいてポイントを付与する（ステップＳ１６０）。例えば、業務別緊急度がレベル１の場合は３０ポイント、レベル２の場合は８０ポイント、レベル３の場合は１００ポイント、レベル４の場合は１５０ポイントとする（ステップＳ１６１〜Ｓ１６４）。
【００５１】
優先順位設定部２０３は、有害生物を捕獲した有害生物捕獲装置１０ごとに、ポイントを算出し、合計する（ステップＳ１７０）。優先順位設定部２０３は、ポイントの合計数が多い順に優先順位を設定し（ステップＳ１８０）、処理を終了する。
【００５２】
次に、図５〜８を参照して、第１実施形態に係る有害生物回収管理システム１における有害生物回収管理方法について、更に説明する。
【００５３】
図８に示す優先順位設定テーブル２０７の例では、有害生物を捕獲した有害生物捕獲装置１０の捕獲装置ＩＤと、捕獲日時が記憶されている。当該捕獲装置ＩＤ及び捕獲日時の情報は、優先順位設定装置２０の受信部２０１が、有害生物捕獲装置１０の送信部１０３から受信した捕獲検知情報の内容に基づいている。
【００５４】
まず、捕獲装置ＩＤ０００３の有害生物捕獲装置１０を例に挙げて説明する。
回収可否判断部２０２は、回収予定日である２０１６年１２月６日（火）に、回収作業が可能であるかを判断する。図５を参照すると、捕獲装置ＩＤ０００３の有害生物捕獲装置１０は、回収不可日が土曜日、日曜日及び祝日である。よって、回収可否判断部２０２は、捕獲装置ＩＤ０００３については、２０１６年１２月６日（火）の回収作業が可能であると判断する（図８）。
【００５５】
優先順位設定部２０３は、有害生物捕獲後からの経過時間に基づいてポイントを算出する。図８に示す例では、捕獲装置ＩＤ０００３における有害生物捕獲日時は２０１６年１２月３日６時３２分であり、図８のテーブルデータ作成日時である２０１６年１２月６日１０時００分の時点において、経過時間は７２時間以上である。ここで、図６を参照すると、経過時間が７２時間以上の場合、ポイントは２００である。よって、優先順位設定部２０３は、経過時間に基づいて捕獲装置ＩＤ０００３の有害生物捕獲装置１０に２００ポイントを付与する（図８）。
【００５６】
優先順位設定部２０３は、次に、業務別緊急度に基づいてポイントを算出する。図５を参照すると、捕獲装置ＩＤ０００３の有害生物捕獲装置１０は業務別緊急度がレベル２である。また、図７を参照すると、業務別緊急度のレベルが２の場合、ポイントは８０である。よって、優先順位設定部２０３は、業務別緊急度に基づいて捕獲装置ＩＤ０００３の有害生物捕獲装置１０に８０ポイントを付与する（図８）。
【００５７】
優先順位設定部２０３は、経過時間に基づく２００ポイントと、業務別緊急度に基づく８０ポイントを合算して、捕獲装置ＩＤ０００３の有害生物捕獲装置１０のポイント合計数は２８０ポイントであると算出する（図８）。
【００５８】
次に、捕獲装置ＩＤ０００８の有害生物捕獲装置１０を例に挙げて説明する。
回収可否判断部２０２は、回収予定日である２０１６年１２月６日（火）に、回収作業が可能であるかを判断する。図５を参照すると、捕獲装置ＩＤ０００８の有害生物捕獲装置１０は、回収不可日が火曜日である。よって、回収可否判断部２０２は、捕獲装置ＩＤ０００８については、２０１６年１２月６日（火）の回収作業が不可であると判断する（図８）。
【００５９】
図８に示すように、他の有害生物捕獲装置１０についても同様にポイントの合計数を算出し、ポイントの合計数が多い順に優先順位を設定する。図８の例では、ポイント数が最も多い捕獲装置ＩＤ０００３の有害生物捕獲装置１０の優先順位が最も高く、ポイント数が最も低い捕獲装置ＩＤ０００４の有害生物捕獲装置１０の優先順位が最も低く設定されている。
【００６０】
以上のように、本実施形態に係る有害生物回収管理システム１は、有害生物捕獲後の経過時間が長い場合に回収作業の優先順位を高く設定することができる。このため、経過時間が長く、死骸臭が発生する可能性が高い場所の回収作業を優先的に行って死骸臭による悪臭被害の発生を未然に防ぐことが可能である。また、業務別緊急度に基づいて優先順位を設定することができるため、緊急度の高い場所を先に回収して緊急度の低い場所を後で回収するなど、回収作業の効率化を図ることができる。
【００６１】
＜２．第２実施形態＞
次に、第２実施形態に係る有害生物回収管理システム１Ａについて説明する。第２実施形態の説明では、第１実施形態と異なる点について説明し、第１実施形態と同様の点は第１実施形態と同じ符号を付し、その説明を省略する。
【００６２】
（１）機能構成
図１１は、第２実施形態に係る有害生物回収管理システム１Ａの機能構成の一例を示す図である。図１１に示すように、優先順位設定装置２０Ａは、優先順位設定部２０３Ａを備える。また、優先順位設定装置２０Ａは、有害生物捕獲装置テーブル２０４Ａ、優先順位設定テーブル２０７Ａ、環境別緊急度テーブル２０８を保持し、これらは記憶装置２２などに記憶される。
【００６３】
（２）データ等
図１２は、第２実施形態に係る有害生物捕獲装置テーブル２０４Ａのデータの一例を示す図である。有害生物捕獲装置テーブル２０４Ａは、第１実施形態に係る有害生物捕獲装置テーブル２０４と比較して、有害生物捕獲装置１０の設置場所周辺の環境に応じた環境別緊急度のデータを更に保持する。
【００６４】
図１３は、第２実施形態に係る環境別緊急度テーブル２０８のデータの一例を示す図である。環境別緊急度テーブル２０８は、環境別緊急度の度合いと、該度合いに応じたポイントのデータを保持する。
【００６５】
環境別緊急度は、有害生物捕獲装置１０の設置場所周辺の環境に応じた有害生物回収作業の緊急性を表す度合いである。例えば、厨房の天井裏といった高温且つ高湿度となりやすい環境の場合、そうではない環境と比較して有害生物の死骸の腐敗速度が速いため、有害生物回収作業の緊急性は高い。図１３に示す例では、環境別緊急度の度合いを「レベル」で表しており、レベルの数が大きい方が有害生物回収作業の緊急性が高い。このため、レベル１は２０ポイント、レベル２は５０ポイント、レベル３は１２０ポイント、というように、レベルの数が多いほどポイント数を多く設定して、有害生物回収作業の優先順位を高めている。
【００６６】
例えば、物流センターや倉庫などの緊急性が低い環境の場合はレベル１、住宅の天井裏などの一般的な環境の場合はレベル２、厨房の天井裏など高温且つ高湿度の環境の場合はレベル３と設定することができる。
【００６７】
図１２に戻って環境別緊急度について説明すると、捕獲装置ＩＤ０００５の有害生物捕獲装置１０は、Ｅ飲食店の厨房に設置されており、高温且つ高湿度となる環境であるため、環境別緊急度はレベル３に設定されている。一方、装置ＩＤが０００４の有害生物捕獲装置１０は、Ｄ倉庫に設置されており、環境に起因する緊急性は低いことから、環境別緊急度はレベル１に設定されている。
【００６８】
図１４は、第２実施形態に係る優先順位設定テーブル２０７Ａのデータの一例を示す図である。優先順位設定テーブル２０７Ａは、第１実施形態に係る優先順位設定テーブル２０７と比較して、有害生物捕獲装置１０の設置場所周辺の環境に応じた環境別緊急度のデータを更に保持する。
【００６９】
（３）動作
次に、図１５を参照して、第２実施形態に係る有害生物回収管理システム１Ａにおける有害生物回収管理方法について説明する。図１５は、第２実施形態に係る優先順位設定装置２０Ａが実行する処理の一例を示すフローチャートである。第２実施形態における処理では、環境別緊急度に基づいてポイントを算出する。
【００７０】
ステップＳ１１０〜Ｓ１６０、Ｓ１７０及びＳ１８０の処理は上記第１実施形態と同様である。優先順位設定部２０３Ａは、有害生物捕獲装置１０の設置場所周辺の環境に応じた環境別緊急度を確認し（ステップＳ２１０）、環境別緊急度に基づいてポイントを付与する（ステップＳ２２０）。例えば、環境別緊急度がレベル１の場合は２０ポイント、レベル２の場合は５０ポイント、レベル３の場合は１２０ポイントとする（ステップＳ２２１〜Ｓ２２３）。
【００７１】
次に、図１２〜１４を参照して、第２実施形態に係る有害生物回収管理システム１Ａにおける有害生物回収管理方法について、更に説明する。
【００７２】
図１４に示す優先順位設定テーブル２０７Ａは、環境別緊急度に基づくポイントのデータを保持することができる。優先順位設定部２０３Ａは、環境別緊急度に基づいてポイントを算出する。図１２を参照すると、捕獲装置ＩＤ０００３の有害生物捕獲装置１０は環境別緊急度のレベルが２である。また、図１３を参照すると、環境別緊急度のレベルが２の場合、ポイントは５０である。よって、優先順位設定部２０３Ａは、環境別緊急度に基づいて捕獲装置ＩＤ０００３の有害生物捕獲装置１０に５０ポイントを付与する（図１４）。
【００７３】
優先順位設定部２０３Ａは、経過時間に基づく２００ポイントと、業務別緊急度に基づく８０ポイントと、環境別緊急度に基づくポイント５０ポイントを合算して、捕獲装置ＩＤ０００３の有害生物捕獲装置１０のポイント合計数は３３０ポイントであると算出する（図１４）。
【００７４】
図１４に示すように、他の有害生物捕獲装置１０についても同様にポイントの合計数を算出し、ポイントの合計数が多い順に優先順位を設定する。図１４の例では、ポイント数が最も多い捕獲装置ＩＤ０００２の有害生物捕獲装置１０の優先順位が最も高く、ポイント数が最も低い捕獲装置ＩＤ０００４の有害生物捕獲装置１０の優先順位が最も低く設定されている。
【００７５】
以上のように、本実施形態に係る有害生物回収管理システム１Ａは、環境別緊急度に基づいて回収作業の優先順位を設定することができるため、有害生物の死骸臭に起因する悪臭被害が発生する前に、効率的に有害生物を回収することができる。
【００７６】
＜３．第３実施形態＞
次に、第３実施形態に係る有害生物回収管理システム１Ｂについて説明する。第３実施形態の説明では、第１及び第２実施形態と異なる点について説明し、第１及び第２実施形態と同様の点は第１及び第２実施形態と同じ符号を付し、その説明を省略する。
【００７７】
（１）機能構成
図１６は、第３実施形態に係る有害生物回収管理システム１Ｂの機能構成の一例を示す図である。図１６に示すように、優先順位設定装置２０Ｂは、優先順位設定部２０３Ｂを備える。また、優先順位設定装置２０Ｂは、有害生物捕獲装置テーブル２０４Ｂ、優先順位設定テーブル２０７Ｂ、距離別優先度テーブル２０９を保持し、これらは記憶装置２２などに記憶される。
【００７８】
（２）データ等
図１７は、第３実施形態に係る有害生物捕獲装置テーブル２０４Ｂのデータの一例を示す図である。有害生物捕獲装置テーブル２０４Ｂは、第２実施形態に係る有害生物捕獲装置テーブル２０４Ａと比較して、出発地点から有害生物を捕獲した有害生物捕獲装置１０の設置場所までの距離に応じた距離別優先度のデータを更に保持する。
【００７９】
図１８は、第３実施形態に係る距離別優先度テーブル２０９のデータの一例を示す図である。距離別優先度テーブル２０９は、距離別優先度の度合いと、該度合いに応じたポイントのデータを保持する。
【００８０】
距離別優先度は、任意の出発地点から有害生物捕獲装置１０が設置されている場所までの距離に応じて、有害生物回収作業の優先度を定めるための指標である。図１８に示す例では、距離別優先度の度合いを「レベル」で表しており、レベルの数が大きい方が出発地点から有害生物捕獲装置１０までの距離が遠い。例えば、任意の出発地点からの距離が１０ｋｍ未満以内の場合はレベル１、１０ｋｍ以上２０ｋｍ未満の場合はレベル２、２０ｋｍ以上３０ｋｍ未満の場合はレベル３、３０ｋｍ以上４０ｋｍ未満の場合はレベル４、４０ｋｍ以上の場合はレベル５というように任意で設定することができる。図１８に示す例では、レベル１は０ポイント、レベル２は２０ポイント、レベル３は５０ポイント、レベル４は８０ポイント、レベル５は１２０ポイント、というように、レベルの数が多いほどポイント数を多く設定して、より遠方に設置されている有害生物捕獲装置１０ほど有害生物回収作業の優先順位が高くなるようにしている。
【００８１】
出発地点からの距離が遠い場所に設置されている有害生物捕獲装置１０まで、車で移動して回収作業を行う場合を例に挙げて説明する。例えば、昼間の時間帯に車で移動すると、交通渋滞に巻き込まれて到着時間が遅くなる場合があり、その場合、回収作業を満足に行うことができなかったり、その後に予定していた回収作業を断念せざるを得ないことがある。このような事態を避けるためには、例えば、交通渋滞を避けるべく朝一番に出発して、最も遠方に設置されている有害生物捕獲装置１０にて回収作業を行い、その後に出発地点まで戻りながら更に他の場所で回収作業を行うことが効率的で好ましい。
【００８２】
図１７に戻って距離別優先度について説明すると、捕獲装置ＩＤ０００１の有害生物捕獲装置１０は出発地点から４０ｋｍ以上離れた場所に設置されており、距離別優先度はレベル５に設定されている。一方、捕獲装置ＩＤ０００５の有害生物捕獲装置１０は出発地点からの距離が５ｋｍと比較的近いため、距離別優先度がレベル１に設定されている
【００８３】
図１９は、第３実施形態に係る優先順位設定テーブル２０７Ｂのデータの一例を示す図である。優先順位設定テーブル２０７Ｂは、第２実施形態に係る優先順位設定テーブル２０７Ａと比較して、任意の出発地点から有害生物捕獲装置１０の設置場所までの距離に応じた距離別優先度のデータを更に保持する。
【００８４】
（３）動作
次に、図２０を参照して、第３実施形態に係る有害生物回収管理システム１Ｂにおける有害生物回収管理方法について説明する。図２０は、第３実施形態に係る優先順位設定装置２０Ｂが実行する処理の一例を示すフローチャートである。第３実施形態における処理では、距離別優先度に基づいてポイントを算出する。
【００８５】
ステップＳ１１０〜Ｓ１６０、Ｓ１７０及びＳ１８０は上記第１実施形態と同様であり、ステップＳ２１０〜Ｓ２２０は上記第２実施形態と同様である。優先順位設定部２０３Ｂは、有害生物捕獲装置１０の設置場所までの距離に応じた距離別優先度を確認し（ステップＳ３１０）、距離別優先度に基づいてポイントを付与する（ステップＳ３２０）。例えば、距離別優先度がレベル１の場合は０ポイント、レベル２の場合は２０ポイント、レベル３の場合は５０ポイント、レベル４の場合は８０ポイント、レベル５の場合は１２０ポイントとする（ステップＳ３２１〜Ｓ３２５）。
【００８６】
次に、図１７〜１９を参照して、第３実施形態に係る有害生物回収管理システム１Ｂにおける有害生物回収管理方法について、更に説明する。
【００８７】
図１９に示す優先順位設定テーブル２０７Ｂは、距離別優先度に基づくポイントのデータを保持している。優先順位設定部２０３Ｂは、距離別優先度に基づいてポイントを算出する。図１７を参照すると、捕獲装置ＩＤ０００３の有害生物捕獲装置１０は距離別優先度のレベルが２である。また、図１８を参照すると、距離別優先度がレベル２の場合、ポイントは２０である。よって、優先順位設定部２０３Ｂは、距離別優先度に基づいて捕獲装置ＩＤ０００３の有害生物捕獲装置１０に２０ポイントを付与する（図１９）。
【００８８】
優先順位設定部２０３Ｂは、経過時間に基づく２００ポイントと、業務別緊急度に基づく８０ポイントと、環境別緊急度に基づく５０ポイントと、距離別優先度に基づく２０ポイントを合計して、捕獲装置ＩＤ０００３の有害生物捕獲装置１０のポイント合計数は３５０ポイントであると算出する（図１９）。
【００８９】
図１９に示すように、他の有害生物捕獲装置１０についても同様にポイントの合計数を算出し、ポイントの合計数が多い順に優先順位を設定する。図１９の例では、ポイント数が最も多い捕獲装置ＩＤ０００２の有害生物捕獲装置１０の優先順位が最も高く、ポイント数が最も低い捕獲装置ＩＤ０００４の有害生物捕獲装置１０の優先順位が最も低く設定されている。
【００９０】
以上のように、本実施形態に係る有害生物回収管理システム１Ｂは、距離別優先度に基づいて回収作業の優先順位を設定することができる。このため、例えば、遠隔地へ出向いて回収作業を行い、その後徐々に戻りながら他の場所での回収作業を行うといったように、効率的に有害生物を回収することができる。
【００９１】
＜４．第４実施形態＞
次に、第４実施形態に係る有害生物回収管理システム１Ｃについて説明する。第４実施形態の説明では、第１実施形態と異なる点について説明し、第１実施形態と同様の点は第１実施形態と同じ符号を付し、その説明を省略する。
【００９２】
（１）機能構成
図２１は、第４実施形態に係る有害生物回収管理システム１Ｃの機能構成の一例を示す図である。図２１に示すように、優先順位設定装置２０Ｃは、用具表示部２１０を備える。用具表示部２１０は、出力装置２４などにより実現され、有害生物の回収作業を行うために必要な用具を表示する。また、優先順位設定装置２０Ｃは、用具テーブル２１１を保持し、該用具テーブル２１１は記憶装置２２などに記憶される。
【００９３】
（２）データ等
図２２は、第４実施形態に係る用具テーブル２１１のデータの一例を示す図である。有害生物捕獲装置テーブル２１１は、捕獲された有害生物の回収作業を行うために必要な用具に関するデータを保持する。図２２に示す例では、有害生物捕獲装置１０が設置されている建屋ごとに、有害生物回収作業を行うために必要な用具が記憶されている。
【００９４】
例えば、Ａ鉄道会社で回収作業を行う場合、ヘルメット、長袖上着、安全反射ベスト、安全靴を着用する必要がある。Ｂ食品工場で回収作業を行う場合、帽子、マスク、白衣、白長靴を着用する必要がある。Ｃビルで回収作業を行う場合、ビル内に入室するためのセキュリティキーを持参する必要がある。
【００９５】
（３）動作
次に、図２３を参照して、第４実施形態に係る有害生物回収管理システム１Ｃにおける有害生物回収管理方法について説明する。図２３は、第４実施形態に係る優先順位設定装置２０Ｃが実行する処理の一例を示すフローチャートである。第４実施形態における処理では、回収作業を行うために必要な用具を表示する。
【００９６】
ステップＳ１１０〜Ｓ１８０の処理は上記第１実施形態と同様である。ステップＳ１８０の後、用具表示部２１０は、有害生物の回収作業を行うために必要な用具を表示し（ステップＳ４１０）、処理を終了する。
【００９７】
以上のように、本実施形態に係る有害生物回収管理システム１Ｃは、回収作業に必要な用具を表示することで、回収作業を行う者に用具の持参を促すことが可能である。これにより、現地での回収作業をスムーズに行って、効率的に有害生物を回収することが可能である。
【００９８】
＜５．その他の実施形態＞
上述した実施形態の機能を実現するプログラムを作成し、コンピュータが備えるＣＰＵなどの演算装置によって実行させることも可能である。上記プログラムは、例えば、ＵＳＢメモリなどの不揮発性メモリ、ＨＤＤ、ＣＤといった記憶媒体に格納されてもよく、ネットワークを介して配信されてもよい。
すなわち、上記プログラム及び上記プログラムを記憶した記憶媒体は、本発明に含まれる。
【符号の説明】
【００９９】
１  有害生物回収管理システム
１０  有害生物捕獲装置
１１  捕獲装置
１２  捕獲検知装置
１３  通信装置
２０  優先順位設定装置
２１  演算装置
２２  記憶装置
２３  入力装置
２４  出力装置
２５  通信装置
３０  ネットワーク
１０１  捕獲部
１０２  捕獲検知部
１０３  送信部
２０１  受信部
２０２  回収可否判断部
２０３  優先順位設定部
２０４  有害生物捕獲装置テーブル
２０５  経過時間テーブル
２０６  業務別緊急度テーブル
２０７  優先順位設定テーブル
２０８  環境別緊急度テーブル
２０９  距離別優先度テーブル
２１０  用具表示部
２１１  用具テーブル
【図１】
2018132806.tif 000003
【図２】
2018132806.tif 000004
【図３】
2018132806.tif 000005
【図４】
2018132806.tif 000006
【図５】
2018132806.tif 000007
【図６】
2018132806.tif 000008
【図７】
2018132806.tif 000009
【図８】
2018132806.tif 000010
【図９】
2018132806.tif 000011
【図１０】
2018132806.tif 000012
【図１１】
2018132806.tif 000013
【図１２】
2018132806.tif 000014
【図１３】
2018132806.tif 000015
【図１４】
2018132806.tif 000016
【図１５】
2018132806.tif 000017
【図１６】
2018132806.tif 000018
【図１７】
2018132806.tif 000019
【図１８】
2018132806.tif 000020
【図１９】
2018132806.tif 000021
【図２０】
2018132806.tif 000022
【図２１】
2018132806.tif 000023
【図２２】
2018132806.tif 000024
【図２３】
2018132806.tif 000025